(57)【要約】【要  約】【課  題】定期券等の呈示用の薄型でコンパクトなカードケースに磁気や電磁波により情報データを遣り取りするＩＣカードを入れて、指で摘んだり、掌の中で握って自動改札機の受信パネルに翳して使用すると、指や掌の一部がカードケースと自動改札機の受信パネルの間で邪魔になり、翳し難いと共に、カードケースと受信パネルの間に隙間ができて接近させる事ができず、エラーが発生してスムーズな改札の妨げになると云う欠点があった。また、翳し易い厚さのある財布等に入れると      スリ等の危険性や紛失の不安がある。【解決手段】前記の目的を達成して課題を達成するために、本発明のカードケースは、無負荷で自立していて指で摘んだり、指で挟むまたは／或いは指を挟むことが出来る柔軟素材で可撓性のある突起を設け、翳し易くエラーが起こり難い自動改札機や自動販売機等のＩＣカード用のカードケースを提供する。【選択図】図１
2009268714.tif 000002
【特許請求の範囲】
【請求項１】
無負荷で自立していて指で摘んだり、指で挟むまたは／或いは指を挟むことが出来る柔軟素材で可撓性のある突起を設けた事を特徴としたカードケース。
【請求項２】
カード出し入れ口部に逆階段状の植毛カードストッパーを設けた事を特徴としたカードケース。
【発明の詳細な説明】
【技術分野】
【０００１】
本発明は、自動改札カード等の携帯用カードのカードケースに関し、より詳言すれば、磁気や電磁波により情報データを遣り取りするＩＣカード。例えば、電車やバスの自動改札カードの商品名ＰＡＳＭＯやＳｕｉｃａ等の好適な携帯用カードケースに関するものである。
【背景技術】
【０００２】
従来の電車等の改札用カードケースは、定期券など中に入れたカードを見せ、視覚によって入れたカードの情報を目視で改札員が確認する呈示目的のものが一般的であり、歩きながらカードケースを指で摘んだり、掌の中で握って呈示していた。このため、ポケットやバッグ等から簡単に取り出せて、改札員からも容易に情報確認ができ、またポケットやバッグ等に素早く簡単に仕舞うことができるものでなくてはならなかった。したがって、呈示面は入れたカードがよく見える透明な素材を用い、厚さは１〜２枚のカードが入る薄い板状袋の小型のものであり、携帯に便利と共に扱い易いため、小中学生の通学から大人の通勤まで、定期券入れとして幅広く使われていた。
【０００３】
しかしながら、近年の自動改札機の普及により、前記の呈示用のカードケースを磁気や電磁波により情報データを遣り取りする自動改札用のＩＣカードに流用すると、ＩＣカードと自動改札機の受信パネルとの情報交換は微弱な磁気や電磁波で行うため、情報を持つＩＣカードと自動改札機の受信パネルとを出来るだけ接近させる必要がある。ところが、従来の呈示用のカードケースは、図６（イ）に示すように、薄型でコンパクトであるため、磁気や電磁波により情報データを遣り取りするＩＣカード4を入れて図６（ロ）のように、指５で摘んだり、図６（ハ）のように、掌６の中で握って自動改札機８の受信パネル７に翳して使用すると、摘んだ指５や握った掌６の一部がカードケースＫと自動改札機８の受信パネル７の間で邪魔になり、翳し難いと共に、カードケースＫと受信パネル７の間に隙間ができて接近させる事ができないため、磁気や電磁波よる情報の遣り取りエラーが発生すると云う不安と実際にエラーが発生してスムーズな改札の妨げになると云う欠点があった。      
【０００４】
このように、従来のカードケースＫは、改札口で定期券等を呈示して情報を目視確認するカードには適していたが、自動改札等の磁気や電磁波により自動読み取りで情報データを遣り取りするＩＣカード４のカードケース用としては、前記の呈示用のカードケースＫの薄型でコンパクトの特徴は逆効果となり不適であった。
【０００５】
図６（ハ）の状態に於いて、従来のカードケースＫを厚くすると握り易く、指５や掌６が邪魔にならず、自動改札機８の受信パネル７に密着でき、情報データの遣り取りエラーも少なくなるため、図７（イ）に示すように、財布１１を兼ねたクレジット等のカード入れの貴重品ケースＳにＩＣカード４を入れて（図示せず）図７（ロ）のように、自動改札機８の受信パネル７に貴重品ケースＳを面タッチさせて自動改札をする人が多いのが現状で、一般的になっている。
【０００６】
例えば、特許文献１の財布表設カード入れケースは、財布表面に自動改札機用のＩＣカードが出し入れできるケースを一体化表設して、事実上カードケースを厚くしたことにより、掌で握り易く、且つ、カードケースを自動改札機の受信パネルにタッチし易いため、ＩＣカードと自動改札機の受信パネルが密着に近い状態になり、磁気や電磁による情報の遣り取りが確実に行われてエラーが少なく、改札口ラッシュ時にスムーズに自動改札ができる様にしたものである。
【特許文献１】特開２００６−４３３９４
【発明の開示】
【発明が解決しようとする課題】
【０００７】
しかしながら、自動改札や自動販売等のＩＣカードのカードケースと現金などの貴重品を入れる財布等を組み合わせると、電車等の自動改札機のＩＣカードは使用頻度が高く、出し入れ回数が多いため、常に出し易い様に、開口ポケット(図示せず)の中や図７（ハ）のように、開口したバック等の中が見える所に何時でも出せる様にして貴重品ケースＳを置いておかなくてはならず、落す等の紛失やスリ等の犯罪に遭うと云う心配があり、自動改札での情報の遣り取りエラーの欠点は改善されるが、新たに、常に財布等の貴重品に対する紛失の不安と犯罪の危険性が伴う。
【０００８】
本発明は、このような従来の欠点である、ＩＣカードと自動改札機の受信パネルとの情報の遣り取りエラーの点と貴重品に対する犯罪の危険性や紛失の不安がある点の両方を解決しようとするカードケースで、財布等の厚さを必要とせず、従来の呈示用カードケースの薄型でコンパクトな特徴を生かしながら、ＩＣカードを自動改札機の受信パネルに容易にタッチさせ、密着状態で翳す事ができて、微弱な磁気や電磁波でも送受信を確実に行い、ＩＣカードと自動改札機の受信パネルとの間の情報交換のエラーが起こらない自動改札機や自動販売機等のＩＣカード用のカードケースを提供することを目的とする。
【課題を解決するための手段】
【０００９】
前記の目的を達成して課題を達成するために、本発明のカードケースは、無負荷で自立していて指で摘んだり、指で挟むまたは／或いは指を挟むことが出来る柔軟素材で可撓性のある突起を設けものである。なお、指が通せる輪状の突起。また、柔軟性により潰せる突起。更に、突起をキャラクターにしたものや鉄道会社の機関車など会社、公共団体等の製品、商品にしたものも含まれる。  
【発明の効果】
【００１０】
本発明は以上説明したように、カードケースに無負荷で自立していて指で摘んだり、指で挟むまたは／或いは指を挟むことが出来る柔軟素材で可撓性のある突起を設けた事により、自動改札時、この突起を指で摘んだり、指で挟むまたは／或いは指を挟んで手と前記カードケースの突起を一体化しても、カードケースは突起の可撓性により他の力が加わると自由自在に角度が変わる。したがって、カードケース面と受信パネル面の角度が違っていても受信パネル面にカードケース面の一部がタッチした後、更に突起を押すことにより、受信パネル面の角度にカードケース面の角度が自動的に合わさって密着してゆき、面タッチになる。このように、カードケースに可撓性のある突起を設けて指で摘んだり、指で挟むまたは／或いは指を挟んで自動改札機等の受信パネルにタッチすると確実に面タッチとなり、カードケース内に入れられているＩＣカードも自動改札機等の受信パネルとカードケースの外皮を挟んで面密着で翳せる。したがって、装置の故障以外はＩＣカードと自動改札機等の受信パネルとの情報交換は確実に行われ、読み取りエラーを激減させる事が出来る。
【００１１】
カードケースに可撓性のある突起を設けた事により、駅の自動改札口等に於いては、歩きながらポケットやバッグの中で自立している突起を指で摘んだり、指で挟むまたは／或いは指を挟んだり出来るため、素早く出して、素早くカードケースを自動改札機等の受信パネルにタッチすることが出来、またカードケースをポケットやバッグに仕舞う時もカードケースを押し込むだけで可撓性の突起が曲がって倒れてスムーズに素早くポケットやバッグに入るため、迅速な自動改札行動が出来る。このように、自動改札動作がスムーズに行える事とエラーの発生が無いため、ラッシュ時の混雑の緩和になる。また、自動改札機でエラーが発生してブザーが鳴り改札ゲートが閉まって通過を止められると後続の人に迷惑を掛けると共に、不快感が大きく気分が悪い。本発明のカードケースによれば、エラーの発生が少なくなるため、精神的なショックも無く、快適な改札行動ができる。
【００１２】
更に、本発明のカードケースがポケットに入っている状態では、カードケースをポケットに押し込む時、可撓性の突起が曲がって出口の方向に倒れるため、邪魔にならないと共に、出口の方向に倒れている突起には弱い自立力があるため、カードケースが抜け落ちようとすると、突起はポケット内で突っ張り、抵抗となってカードケースがポケットから抜け落ちるのを防ぐストッパーにもなる。また、突起をキャラクターにして学生のカバンやＯＬのバッグなどにストラップ等で吊るすとマスコットになり、カードケースを兼ねた飾りのファッションにもなる。
【００１３】
更に、従来のカードケースは目視の呈示のため、入れたカードが見えるように透明シートが片面付設してあっが、本発明のカードケースは磁気や電磁波で情報を遣り取りするＩＣカードのため、中が見える透明の必要はなく、不透明でよいため、表面、裏面の両面が宣伝媒体として使える。
【００１４】
このように本発明の可撓性のある突起を設けたカードケースに於いては、取り扱い易いコンパクトなカードケース単独でも情報通信のエラーがなく、スムーズに電車等の自動改札ができるため、財布やクレジットカード等の厚い貴重品ケースと兼用する必要がなく、財布等の貴重品は、バック等の奥の安全な所に確実に仕舞って閉口でき、紛失や犯罪等の安全安心が得られる。  
したがって、今後の磁気や電磁波による非接触で自動読み書きの情報交換するＩＣカード社会に於いて、本発明のカードケースは乗り物、買い物、レジャー、スポーツ等に於ける快適な日常生活に奇与することができ、世界的にも今後の自動改札、自動販売のカード時代に合った非常に効果的なカードケースの発明である。
【発明を実施するための最良の形態】
【００１５】
本発明の実施形態は、従来の呈示するカードケースの薄型、コンパクトで扱い易い特徴を生かしながら、自動改札機等の受信パネルにタッチし易しく、情報の遣り取りエラーが起き難いように、柔軟素材で可撓性のある突起を設けたＩＣカードのカードケースである。
【００１６】
以下、本発明の実施の最良の一形態を図１〜図１０に基づいて詳細に説明する。尚、この実施例を説明するにあたって従来の構成と同一部分には同一符号を付けて述べる。
図１は、本発明のカードケースＮの斜視図であり、カードケースＮは、基板３の一面が表面Ｕ、他面が背面Ｌで、背面Ｌには背袋皮２により背袋Ｆが構成されていて、ＩＣカード４が収納されている。背袋皮２の略中央部には、柔軟素材で可撓性があり、無負荷では自立する突起１ａが設けられている。なお、表面Ｕに表袋皮（図示せず）により表袋（図示せず）を設けて、基板３の両面に袋を設けてもよい。また、表面Ｕのみに袋を設けてもよい。
図２は、カードケースＮの突起１ａに負荷Ｐを加えて、突起１ａの可撓性により曲がって倒れた状態を示した斜視図であり、負荷Ｐの方向により３６０度どの方向にも自在に倒れるまたは／或いは倒す事が出来る。
【００１７】
図３は、可撓性のある突起１ａを設けたカードケースＮの特徴を示したものであり、可撓性のある突起１ａを設けることにより、カードケースＮの面と自動改札機８（図示せず）の受信パネル７の面が必ず面タッチになる。その作用を説明すると、図３（イ）は、手とカードケースＮの面が自動改札機８（図示せず）の受信パネル７の面に対して角度θが付いている状態（手とカードケースＮは一体化している）で自動改札をする場合である。図３（ロ）は、図３（イ）の状態からカードケースＮを自動改札機８（図示せず）の受信パネル７に近づけてカードケースＮの面の一部が自動改札機８（図示せず）の受信パネル７の面にタッチした瞬間の状態である。更に、図３（ハ）のように、カードケースＮを受信パネル７に押すと突起１ａの可撓性により、突起１ａが曲がり、手の角度θは変わらず、そのままでもカードケースＮの面は補正されて自動改札機８（図示せず）の受信パネル７の面に一致し、面タッチさせることが出来る。
【００１８】
図４は、本発明のカードケースＮを自動改札に於いて、実際に使用する状態の例を示したイラストであり、図４（イ）はカードケースＮの突起１ａを指５で摘んで自動改札機８の受信パネル７の面にカードケースＮの面を面タッチさせて密着接触により情報の遣り取りをしてエラーの起こらない自動改札を示す。同様に、図４（ロ）はカードケースＮの突起１ａを指５で挟んで自動改札機８の受信パネル７の面にカードケースＮの面を面タッチさせて密着接触による情報の遣り取りでエラーの起こらない自動改札を示す。図４（ハ）はカードケースＮと財布等の貴重品のケースと兼用しないため、カードケースＮは出し易い所、例えば、カードケース・ホルダー１０などに入れ、財布等の貴重品（図示せず）はバッグ９の奥に確実に仕舞って閉口しておくことが出来、紛失したり犯罪に遭うことも無く、安心・安全に通勤、通学等ができることを示すイラスト。
【００１９】
図５は、カードケースＮの突起１の他の実施例を示したものであり、図５（イー１）は、指が通せる輪状にした突起１ｂの一実施例であり、柔軟性があるので指で摘んだり指で挟む事も出来ると共に、押し潰す事も出来る。図５（イー２）は、実際に輪状の突起１ｂに指５を通して自動改札機８の受信パネル７の面にカードケースＮの面を面タッチさせて自動改札している状態を示したイラストである。図５（ロ−１）は、指を挟む突起１ｃの一実施例であり、指で摘んだり指で挟む事も出来る。また、柔軟性と可撓性があるので自由自在に倒せる。図５（ロ−２）は、実際に指５を突起１ｃで挟んで自動改札機８の受信パネル７の面にカードケースＮの面を面タッチさせて自動改札している状態を示したイラストである。図５（ハ−１）は、キャラクターを突起１ｄに用いた一実施例であり、指で摘んだり指で挟む事も出来る。図５（ハ−２）のように、キャラクター突起１ｄは柔軟性で可撓性があるため、負荷Ｐにより３６０度自由自在に倒すことが出来る。したがって、カードケースＮをバッグやポケット等に収納するのに邪魔にならないと共に、言葉を出さない対話表現の合図や遊びにもなる。例えば、言語障害者の意思表現や友人・夫婦間の無言対話で「前に倒せば、ゴメンやＮＧ」、「後ろに倒せば、ＯＫ」、「横に倒せば、どうしょうかなーやワカンナイ」など。更に、鞄やバッグにマスコットとして吊るしておくと、ファッション性の高いカードケースになる。
【００２０】
図６は、従来の呈示のカードケースＫとその欠点を示したものであり、図６（イ）は、薄い板状袋でコンパクトな従来のカードケースＫの一例で、本発明の突起の無いものである。図６（ロ）は、従来のカードケースＫを指５で摘んで、自動改札機８の受信パネル７の面に面タッチさせている状態を示したものである。指５が邪魔になり、カードケースＫの面と自動改札機８の受信パネル７の面との間に隙間ができ、情報の遣り取りエラーが起こり易い。同様に、図６（ハ）は従来のカードケースＫを掌６で握って、自動改札機８の受信パネル７の面にカードケースＫの面を面タッチさせている状態を示したものであり、手の掌６が邪魔になり、カードケースＫの面と自動改札機８の受信パネル７の面との間に隙間ができ、情報の遣り取りエラーが起こり易いと云う欠点がある。
【００２１】
図７は、財布１１とカードケースＫを兼ねた厚みのある貴重品ケースＳの特徴を示したものである。図７（イ）は、貴重品ケースＳには厚さがあり、握り易いと云う特徴がある。したがって、図７（ロ）のように、貴重品ケースＳを掌６で握って、自動改札機８の受信パネル７の面に貴重品ケースＳの面を面タッチさせても指５や掌６の一部が邪魔にならず、取り扱い易く情報の遣り取りエラーも起こりにくい。しかし、図７（ハ）のように、財布１１とカードケースＫを兼ねた貴重品ケースＳにすると自動改札時に何時でも素早く出せるように、バッグ９を開口した状態にして見える上部に貴重品ケースＳを常に置いておく必要があるため、結果的に財布１１を置いておく事になる。したがって、落す等の紛失やスリ等の犯罪に遭うと云う心配があり、常に貴重品に対する犯罪の危険性と紛失の不安が伴い、精神的な負担が大きいと云う欠点がある。
【００２２】
図８は、請求項２のカードケースの斜視図であり、図８（イ）、図８（ロ）は請求項１のカードケースＮの背面袋Ｆ（図示せず）の入り口部にＩＣカードが抜け落ちないように逆階段状の植毛１２を設けた実施例であり、図８（イ）は、背面袋幅Ｗの幅で植毛１２した一実施例。図８（ロ）は、背面袋幅Ｗの一部分に植毛１２した一実施例である。
【００２３】
図９は、図８（イ）のＺ−Ｚの断面図であり、植毛１２の作用を表したものである。図９（イ）はＩＣカード4を背面袋Ｆに収納するときの状態の断面図で、ＩＣカード４を押し下げながら差し込むと植毛１２が押し下げられて滑るようにスムーズに、背面袋Ｆ内に収納される。ＩＣカード４が背面袋Ｆ内に、図９（ロ）のように収納されてから、抜け落ちる作用が働いた場合、図９（ハ）のように逆階段状構造の植毛１２の下にＩＣカード4が入り込み固定されて抜け落ちない。また、背面袋ＦからＩＣカード4を取り出す場合は、図９（ニ）のように、ＩＣカード4を持ち上げながら引き出すことにより、植毛１２を簡単にかわして取り出す事が出来る。このように、カードケースに逆階段状の植毛を設ける事により、ＩＣカードの出し入れは簡単でＩＣカードが抜ける動きのときは確実にＩＣカードをキャッチして、抜け落ちの防止をすることが出来る。
【００２４】
図１０は、呈示用の従来のカードケースＫに植毛１２を設けた実施例であり、図１０（イ）は背面袋幅Ｗの幅で植毛１２した一実施例。図１０（ロ）は、背面袋幅Ｗの一部分に植毛１２した一実施例である。
このように、逆階段状構造の植毛ストッパーは全てのカード類のケースに当てはまり、カード抜け落ち防止には効果的である。名刺入や名刺ホルダーにも有効であり、名刺もカードの一種であるため、本発明の植毛が適用される。
【図面の簡単な説明】
【００２５】
【図１】本発明の請求項１の一実施例のカードケースＮを明示した斜視図。
【図２】本発明のカードケースＮの可撓性の突起１ａを負荷Ｐにより倒した斜視図。
【図３】本発明のカードケースＮの可撓性の突起１ａの特徴を示したイラスト。
【図４】本発明のカードケースＮの使用例と効果。
【図５】本発明のカードケースＮの可撓性の突起１の他の実施例。
【図６】従来のカードケースＫとその使用例、及び欠点。
【図７】従来のカードケースＫの対策とその欠点。
【図８】本発明の請求項２の一実施例のカードケースＮを明示した斜視図。
【図９】本発明の請求項２の一実施例の植毛ストッパーの作用図。
【図１０】本発明の請求項２を従来のカードケースＫに実施した一実施例。
【符号の説明】
【００２６】
１      突起
１ａ    棒突起
１ｂ    輪突起
１ｃ    Ｕ形突起
１ｄ    キャラクター突起
２      背袋皮
３      基板
４      ＩＣカード
５      指
６      掌
７      受信パネル
８      自動改札機
９      バッグ
１０      カードケース・ホルダー
１１      財布
１２      植毛
Ｆ      背袋
Ｋ      従来のカードケース
Ｌ      背面
Ｎ      突起付カードケース
Ｐ      負荷
Ｓ      貴重品ケース
Ｕ      表面
Ｗ      背面袋幅
θ      手の角度
【図１】
2009268714.tif 000003
【図２】
2009268714.tif 000004
【図３】
2009268714.tif 000005
【図４】
2009268714.tif 000006
【図５】
2009268714.tif 000007
【図６】
2009268714.tif 000008
【図７】
2009268714.tif 000009
【図８】
2009268714.tif 000010
【図９】
2009268714.tif 000011
【図１０】
2009268714.tif 000012